(57)【要約】【課題】冷暖房効果を有する時間が長く、冷暖房として使用しているときに、温度が一定に保たれる時間の長いペット用冷暖房器具が求められているので、従来より長時間にわたり一定温度を保つペット用冷暖房器具を提供する。【解決手段】潜熱蓄熱材を封入した容器を有してなることを特徴とするペット用冷暖房器具。潜熱蓄熱材の融点が２８〜３３℃である前記記載のペット用冷暖房器具。容器がその上面に金属板を有した容器である前記いずれかに記載のペット用冷暖房器具。【選択図】          図１
2004283140.tif 000002
【特許請求の範囲】
【請求項１】
潜熱蓄熱材を封入した容器を有してなることを特徴とするペット用冷暖房器具。
【請求項２】
潜熱蓄熱材の融点が２８〜３３℃である請求項１記載のペット用冷暖房器具。
【請求項３】
容器がその上面に金属板を有した容器である請求項１または２に記載のペット用冷暖房器具。
【発明の詳細な説明】
【０００１】
【発明の属する技術分野】
本発明は、犬や猫などが体温調節に用いることができるペット用冷暖房器具に関するものである。
【０００２】
【従来の技術】
犬や猫などのペットにおいても、体力維持には冷暖房が必要であり、ペット用冷暖房器具は、従来から実用化されている。近年は室内での飼育が広く行われてきており、自然環境においては存在する日向や木陰といった体温調節に必要な場所が無く、さらに飼い主が不在の場合の対策として、ペットの体温調節を助けるペット用冷暖房器具の必要性が高まりつつある。
【０００３】
そこで、蓄熱材として熱容量の大きいポリエチレングリコールまたはポリイソブチレンを蓄熱材とし、蓄熱材を封入した容器を有してなるペット用冷暖房器具が従来から提案されている（例えば、特許文献１参照。）。しかしながら、ポリエチレングリコールまたはポリイソブチレンの蓄熱量は不十分であるので冷暖房効果を有する時間が短く、暖房のときは使用とともに温度が低下し、冷房のときは使用とともに温度が上昇し、温度が一定でないという問題点があった。さらに、使用前に蓄熱材を電子レンジで加熱したり冷蔵庫で冷却したりした後でこの装置に設置するので、冷暖房効果を有する時間を伸ばそうとすると、開始時に暖房のときは高温となり過ぎ、冷房のときは低温となり過ぎるという問題点も有していた。
【０００４】
そこで、比熱容量の大きな蒸留水または特殊ポリエチレンを蓄熱材とし、アルミニウム板からなる熱拡散板を有し、蓄熱材を封入した容器を有してなるペット用冷暖房器具が従来から提案されている（例えば、特許文献２参照。）。しかしながら、蒸留水および特殊ポリエチレンの蓄熱量も不十分であり、さらに冷暖房効果を有する時間が長く、冷暖房として使用しているときに、温度が一定に保たれる時間の長いペット用冷暖房器具が求められていた。
【０００５】
【特許文献１】
登録実用新案第３０６３１１９号公報
【特許文献２】
特開２００２−３４５３５５号公報
【０００６】
【発明が解決しようとする課題】
本発明の目的は、従来より長時間にわたり一定温度を保つペット用冷暖房器具を提供することにある。
【０００７】
【課題を解決するための手段】
本発明者らは上記状況に鑑み、蓄熱材を用いたペット用冷暖房器具について鋭意研究を重ね、蓄熱材として潜熱蓄熱材を用いて潜熱蓄熱材を封入した容器からなるペット用冷暖房器具が、従来より長時間にわたり一定温度を保つペット用冷暖房器具となることを見出し、本発明を完成するに到った。
すなわち本発明は、潜熱蓄熱材を封入した容器を有してなることを特徴とするペット用冷暖房器具を提供する。
【０００８】
【発明の実施の形態】
本発明のペット用冷暖房器具の実施の形態を以下に詳しく説明する。
本発明のペット用冷暖房器具は、潜熱蓄熱材を封入した容器を有してなる。潜熱蓄熱材を冷却して固相とし、潜熱蓄熱材が融解して液相となるときの潜熱を利用すれば冷房に、潜熱蓄熱材を加熱して液相とし、潜熱蓄熱材が固化して固相となるときの潜熱を利用すれば暖房に用いることができる。本発明者らは、潜熱蓄熱材は融解または固化が終了するまで融点を保持し、かつ融解または固化熱量が大きいために、従来の顕熱蓄熱材を用いてなるペット用冷暖房器具と比較して長時間にわたり一定温度を保つペット用冷暖房器具を実現できることに思い至った。
【０００９】
潜熱蓄熱材としては、硫酸ナトリウム１０水塩、塩化カルシウム６水塩、酢酸ナトリウム３水塩などの塩水和物を主材とするものが挙げられる。その中でも、特に冷房用には硫酸ナトリウム１０水塩、塩化カルシウム６水塩は融点が２８〜３３℃であるので好ましい。
【００１０】
蓄熱材には塩水和物以外に水と固液分離防止剤とを含有させることができる。水の量は、塩水和物の水和モル数の１／３程度以下である。固液分離防止剤としては、水溶性高分子、水膨潤性高分子、高吸水性樹脂、シリカ系増粘剤などが挙げられる。水溶性高分子としてはポリアクリル酸ナトリウム、ポリアクリルアミド、天然ガム類などが挙げられる。水膨潤性高分子としては架橋ポリアクリル酸ナトリウムなどが挙げられる。高吸水性樹脂としては架橋ポリアクリル酸塩、架橋ポリビニルアルコールなどが挙げられる。シリカ系増粘剤としては、煙霧状シリカなどが挙げられる。さらに融点調整剤、分散剤、消泡剤、腐食防止剤、着色剤などを含有させることができる。
【００１１】
潜熱蓄熱材を封入する容器は、透湿性の無い材質からなり、アルミニウムや銅等の金属；ポリエチレン、ポリプロピレン等の合成樹脂を用いることができる。潜熱蓄熱材を封入する容器の形状は特に限定されないが、ペットが利用しやすいように平板状であることが好ましい。容器の上面は平滑であっても凹凸を有していてもよい。なお、本発明において封入とは、容易に漏洩しないように潜熱蓄熱材が容器内に存在している状態であり、容器が潜熱蓄熱材で完全には満たされていない場合、容器に蓄熱材の出入り口が備えられており出入り口の栓を外せば潜熱蓄熱材を出し入れが可能な場合も封入に含まれる。
【００１２】
潜熱蓄熱材を封入する容器が合成樹脂製である場合には、熱伝導の促進、ペットの爪研ぎに対応する容器損傷防止のために、上表面に金属板を有しているものが、より好ましい。潜熱蓄熱材を封入する容器が、その上面に金属板を有している場合は、前記金属板を篏合するべく複数個の凹部または凸部を有するものがさらに好ましい。
【００１３】
金属板はアルミニウム、銅、ステンレスなどの平板であって通常は０．５〜５ｍｍ厚のものが用いられる。金属板は平板状容器の表面の全てを覆っていても一部分を覆っていてもよい。
【００１４】
本発明のペット用冷暖房器具は、潜熱蓄熱材を封入した容器を加熱または冷却して使用する。加熱する方法は特に限定されないが、ストーブやエアコンなどの他の暖房器具により加熱する方法、日向に置いて太陽熱を利用して加熱する方法、湯の中に浸漬する方法などが挙げられる。冷却する方法も特に限定されないが、エアコンにより冷却する方法、冷蔵庫により冷却する方法、氷水などの低温の水に浸漬する方法などが挙げられる。
【００１５】
このように構成することにより、本発明のペット用冷暖房器具は、従来より長時間にわたり一定温度を保つペット用冷暖房器具となり、犬と猫の飼育に好適に使用できるものとなる。
【００１６】
特に冷房用としては、融点が２８〜３３℃にある潜熱蓄熱材を用いた場合では、犬や猫の体温の３８〜３９℃よりも融点が５〜１０℃低い程度であるから、犬や猫にとっては冷たすぎることがなく、かつ犬や猫の体温と融点の温度差が小さいので融解に要する時間が長くかかることになり、利用可能時間が長いことから、冷房用に好適なものである。さらに、犬や猫にとっては、人間に適した温度で冷房を行っている室内であっても暑いので冷房器具が必要であり、本発明の冷暖房器具を人間用の冷房を行っている室内に放置し、犬や猫が本発明の冷暖房器具から離れている間に室の空気により冷却し、潜熱蓄熱材を冷却する操作を行わなくとも本発明の冷暖房器具は再び使用可能とする使用方法を実施することもできる。
【００１７】
【実施例】
次に、本発明を実施例によりさらに詳しく説明するが、本発明はこれらの実施例に限定されるものではない。
実施例１
本発明の実施の形態の実施例を図面を用いて説明する。
図１において、本発明の冷暖房器具は潜熱蓄熱材３を封入した平板状容器２の上表面に金属板１を篏合により密着せしめた構造を有する。図１は表面の中心部分を覆った場合であって、周縁部分は平板状容器の凸部である。平板状容器は金属板を篏合するために図１のとおり凸部または凹部を有する。図３は、金属板を篏合するために合成樹脂あるいはゴム製の突起４を接着または挿入して形成して金属板を篏合した状態の例を示している。
【００１８】
【発明の効果】
本発明のペット用冷暖房器具は、従来のものより長時間にわたり一定温度を保つことができる。特に、融点が２８〜３３℃である潜熱蓄熱材を用いた本発明のペット用冷暖房器具を使用すると、人間用の冷房を行っている室内に放置するだけで犬や猫が夏季の高温時に金属板上に体を乗せることによって夏季の体温調節を助けることができる。
【図面の簡単な説明】
【図１】本発明に係る冷暖房器具の一例を示す一部を切り欠いた斜視図
【図２】図１における縦断ＡＡ′面図
【図３】図１における縦断ＢＢ′面図（篏合部分を示す図）
【符号の説明】
１    金属版
２    平板状容器
３    潜熱蓄熱材
４    ゴム脚
【図１】
2004283140.tif 000003
【図２】
2004283140.tif 000004
【図３】
2004283140.tif 000005